(57)【要約】【課題】構造が簡単で、体裁がよく、しかも安全性の高い簡易ベッドを提供する。【解決手段】前面に上下方向を向く凹溝９が設けられ、取付手段１２をもって壁面２に取り付けられる左右１対の固定脚４と、後端部が固定脚４の上端部に枢着され、水平の使用位置と、上方を向く折り畳み位置との間を回動可能としたベッド本体５と、ベッド本体５の前部において上端部が枢着され、ベッド本体５が使用位置のとき、下端が接床するようにした可動脚６と、ベッド本体５と平行をなして、可動脚６の中間部と固定脚４の中間部とに前後の端部が連結された連結杆７と、一端が連結杆７の中間部に連結され、かつ他端が固定脚４に連結され、連結杆７を上向きに付勢し、かつベッド本体５が折り畳み位置に位置するとき、固定脚４の凹溝９内に収容されるようにした付勢手段８とを備えるものとする。【選択図】  図６
2013022131.tif 000002
【特許請求の範囲】
【請求項１】
前面に上下方向を向く凹溝が設けられ、かつ取付手段をもって壁面に取り付けられる左右１対の固定脚と、
後端部が、前記固定脚の上端部に、左右方向を向く軸をもって枢着され、ほぼ水平の使用位置と、上方を向く折り畳み位置との間を回動可能としたベッド本体と、
前記ベッド本体の前部において、上端部が左右方向を向く軸をもって枢着され、前記ベッド本体が使用位置のとき、下端が接床し、前記ベッド本体が折り畳み位置のとき、前記ベッド本体から垂下するようにした可動脚と、
前記ベッド本体と平行をなして、前記可動脚の上下方向の中間部と前記固定脚の上下方向の中間部とに前後の端部が連結された連結杆と、
一端が前記連結杆の中間部に連結され、かつ他端が前記固定脚に連結され、前記連結杆を、ベッド本体が折り畳み位置に位置する方向に付勢し、かつベッド本体が折り畳み位置に位置するとき、前記固定脚の凹溝内に収容されるようにした付勢手段
とを備えることを特徴とする簡易ベッド。
【請求項２】
ベッド本体の両側部下面に前後方向を向く凹溝を設け、この凹溝の後部において、ベッド本体の後端部を固定脚の上端部に枢着し、かつ前記各凹溝内の前部において、可動脚の上端部をベッド本体の前部に枢着し、前記ベッド本体が折り畳み位置のとき、前記各可動脚および連結杆の一部が、前記ベッド本体の各凹溝内に収容されるようにした請求項１記載の簡易ベッド。
【請求項３】
連結杆を固定脚の側面の外側に配設し、この連結杆における固定脚側の側面に突設した軸をもって、固定脚の凹溝内に配設した付勢手段の一端と前記連結杆とを連結し、かつ前記固定脚における連結杆と付勢手段との間に挟まれた部分の前縁に、ベッド本体が折り畳み位置のとき、前記軸が進入するようにした凹部を設けた請求項１または２記載の簡易ベッド。
【請求項４】
ベッド本体を折り畳み位置としたとき、ベッド本体が使用位置へ復帰するのを阻止するロック手段を設けた請求項１〜３のいずれかに記載の簡易ベッド。
【請求項５】
ロック手段を、ベッド本体を折り畳み位置としたとき互いに重合する固定脚と連結杆との重合部に設けたピン孔に着脱自在に嵌合したロックピンとした請求項４記載の簡易ベッド。
【発明の詳細な説明】
【技術分野】
【０００１】
本発明は、水平の使用状態とすることにより、診察台として用いることができ、かつ起立状態に折り畳むことができるようにした簡易ベッドに関する。
【背景技術】
【０００２】
従来のこの種の簡易ベッドには、人体を支承するベッド本体を、壁面またはそれに近い位置に枢着し、ほぼ水平の使用位置から、壁面に沿って起立する折り畳み位置まで回動しうるようにしたものがある(例えば特許文献１〜４参照)。
また、ベッド本体を使用位置から折り畳み位置まで回動させる際の操作力を軽減させるため、ガススプリング等を用いたものもある(例えば特許文献１または３参照)。
【先行技術文献】
【特許文献】
【０００３】
【特許文献１】特開２００１−３２７５４７号公報
【特許文献２】実開昭５９−１０６５３号公報
【特許文献３】特開平９−２２４７８２号公報
【特許文献４】実公昭４４−１０７５号公報
【発明の概要】
【発明が解決しようとする課題】
【０００４】
しかし、上記のような従来の簡易ベッドでは、ベッド本体を使用位置から折り畳み位置まで回動しうるようにするための支持構造が複雑であったり、ベッド本体を折り畳んだ際に、脚やガススプリング等が露呈し、体裁が悪かったり、折り畳み位置としたベッド本体が、振動その他の原因で、自重により勝手に使用位置に回動するおそれがあったりする等の問題がある。
【０００５】
本発明は、上記問題点に鑑みてなされたもので、構造が簡単で、体裁がよく、しかも安全性の高い簡易ベッドを提供することを目的としている。
【課題を解決するための手段】
【０００６】
本発明によると、上記課題は、次のようにして解決される。
（１）前面に上下方向を向く凹溝が設けられ、かつ取付手段をもって壁面に取り付けられる左右１対の固定脚と、後端部が、前記固定脚の上端部に、左右方向を向く軸をもって枢着され、ほぼ水平の使用位置と、上方を向く折り畳み位置との間を回動可能としたベッド本体と、前記ベッド本体の前部において、上端部が左右方向を向く軸をもって枢着され、前記ベッド本体が使用位置のとき、下端が接床し、前記ベッド本体が折り畳み位置のとき、前記ベッド本体から垂下するようにした可動脚と、前記ベッド本体と平行をなして、前記可動脚の上下方向の中間部と前記固定脚の上下方向の中間部とに前後の端部が連結された連結杆と、一端が前記連結杆の中間部に連結され、かつ他端が前記固定脚に連結され、前記連結杆を、ベッド本体が折り畳み位置に位置する方向に付勢し、かつベッド本体が折り畳み位置に位置するとき、前記固定脚の凹溝内に収容されるようにした付勢手段とを備えるものとする。
【０００７】
このような構成とすると、ベッド本体は、付勢手段の付勢力によって、折り畳み位置に向かって付勢されているので、ベッド本体を軽力で、使用位置から折り畳み位置に向かって回動させることができ、かつ折り畳み位置から使用位置に戻すときは、付勢手段の付勢力が抵抗となり、ベッド本体が急激に使用位置に回動するのを防止することができる。
ベッド本体は、折り畳み位置に位置しているときは、壁面に沿って起立しており、室内空間をあまり占有することはなく、室内を広くして使用することができ、ベッド本体として使用したいときだけ、使用位置まで回動させればよい。
また、ベッド本体が折り畳み位置に位置しているときは、付勢手段は固定脚の凹溝内に収容され、外部に露呈することは少ないので、体裁がよく、しかも付勢手段が歩行者等に接触するおそれが少なくなるので、安全性が高い。
しかも、この簡易ベッドは、ベッド本体と、固定脚と、可動脚と、連結杆と、付勢手段との僅かな部品で構成され、構造が簡単で、安価に製造することができる。
【０００８】
（２）上記(１)項において、ベッド本体の両側部下面に前後方向を向く凹溝を設け、この凹溝の後部において、ベッド本体の後端部を固定脚の上端部に枢着し、かつ前記各凹溝内の前部において、可動脚の上端部をベッド本体の前部に枢着し、前記ベッド本体が折り畳み位置のとき、前記各可動脚および連結杆の一部が、前記ベッド本体の各凹溝内に収容されるようにする。
【０００９】
このような構成とすると、ベッド本体が折り畳み位置に位置しているときは、付勢手段が固定脚の凹溝内に収容されるだけでなく、さらに、可動脚と連結杆の一部もベッド本体の下面に設けられた凹溝内に収容され、それらが外部に露呈することは少なくなるので、体裁がさらによくなり、しかも可動脚や連結杆等が歩行者等に接触するおそれが少なくなるので、安全性がさらに高まる。
【００１０】
（３）上記(１)または(２)項において、連結杆を固定脚の側面の外側に配設し、この連結杆における固定脚側の側面に突設した軸をもって、固定脚の凹溝内に配設した付勢手段の一端と前記連結杆とを連結し、かつ前記固定脚における連結杆と付勢手段との間に挟まれた部分の前縁に、ベッド本体が折り畳み位置のとき、前記軸が進入するようにした凹部を設ける。
【００１１】
このような構成とすると、ベッド本体が折り畳み位置に位置しているとき、連結杆が固定脚の側面に重なり、折り畳み時の簡易ベッド全体の前後幅を小とすることができるとともに、付勢手段の一端と連結杆とを連結する軸が、固定脚の前縁と干渉するのを防止することができる。
【００１２】
（４）上記(１)〜(３)項のいずれかにおいて、ベッド本体を折り畳み位置としたとき、ベッド本体が使用位置へ復帰するのを阻止するロック手段を設ける。
【００１３】
このような構成とすると、ロック手段を解除しない限り、ベッド本体は折り畳み位置から使用位置へ復帰回動させることはできず、安全性を高めることができる。
【００１４】
（５）上記(４)項において、ロック手段を、ベッド本体を折り畳み位置としたとき互いに重合する固定脚と連結杆との重合部に設けたピン孔に、着脱自在に嵌合したロックピンとする。
【００１５】
このような構成とすると、ロック手段の構成を簡素化することができるとともに、安価に製造することができる。
【発明の効果】
【００１６】
本発明によると、構造が簡単で、体裁がよく、しかも安全性の高い簡易ベッドを提供することができる。
【図面の簡単な説明】
【００１７】
【図１】本発明の一実施形態を、壁面に取り付け、使用状態としたときの正面図である。
【図２】同じく、折り畳み状態としたときの正面図である。
【図３】同じく、使用状態としたときの斜め前上方より見た斜視図である。
【図４】同じく、使用状態から折り畳む途中の状態を斜め前上方より見た斜視図である。
【図５】同じく、折り畳み状態としたときの斜め前上方より見た斜視図である。
【図６】図１のVI−VI線に沿う縦断側面図である。
【図７】使用状態から折り畳む途中の状態における、図６と同様の部分の縦断側面図である。
【図８】図２のVIII−VIII線に沿う縦断側面図である。
【図９】図１のIX−IX線に沿う拡大横断平面図であり、ロック手段が設けられている部分を示す。
【発明を実施するための形態】
【００１８】
以下、本発明の一実施形態を、図１〜図９を参照して説明する。
この簡易ベッド１は、病院や医院の診察室の壁面２に取り付けて、必要時に診察台として使用し、それ以外は壁面に沿わせて折り畳んでおくようにしたもので、下端が床面３に当接するようにして、壁面２に取り付けられる左右１対の固定脚４、４と、両固定脚４、４の上端部に後端部が枢着されたベッド本体５と、ベッド本体５の前端部に上端部が枢着された左右１対の可動脚６、６と、ベッド本体５と平行をなして、可動脚６の上下方向の中間部と固定脚４の上下方向の中間部とに前後の端部が連結された左右１対の連結杆７、７と、一端が連結杆７の中間部に連結され、かつ他端が固定脚４に連結されて、連結杆７を、その前端部が上向きに回動する方向に付勢する付勢手段８とを、主要な構成部材として備えている。
【００１９】
各固定脚４は、前面に上下方向を向く凹溝９が設けられた平面視コ字状をなす上下方向を向くチャンネル材からなり、その上下部を、各固定脚４の後面に固着した取付金具１０とコンクリート釘等の固着手段１１とからなる取付手段１２をもって、壁面２に固着されている。
【００２０】
ベッド本体５は、両側部下面に前後方向を向く凹溝１３、１３が設けられた水平の基板１４と、この基板１４の上面、両側面および前面、並びに凹溝１３、１３の開口部を除く下面および後面を覆うように設けられたクッション体１５とを備えている。
また、ベッド本体５の前部下面には、左右１対の手掛け用の凹部１６、１６が設けられている。
【００２１】
ベッド本体５における各凹溝１３内には、水平な基片１７ａの前後の端部の両側縁に垂下片１７ｂ、１７ｃが設けられたブラケット１７が、その基片１７ａを凹溝１３内の上面に固着することにより取り付けられている。
【００２２】
ベッド本体５は、各凹溝１３の後部内において、ブラケット１７の後部の垂下片１７ｃを、各固定脚４の上端部に、左右方向を向く軸１８をもって枢着することにより、図１、図３、および図６に示すように、ほぼ水平をなし、人体を支承しうる使用位置と、図２、図５，および図８に示すように、上方を向く折り畳み位置との間を回動可能となっている。
【００２３】
ベッド本体５の各凹溝１３の前部内において、ブラケット１７の前部の垂下片１７ｂには、角管とした可動脚６の上端部が、左右方向を向く軸１９をもって枢着されている。
各可動脚６は、ベッド本体５が使用位置のときは、ベッド本体５の前部下面より垂下し、下端が接床して、ベッド本体５の前部の荷重およびベッド本体上の人の荷重を支承し、ベッド本体５が折り畳み位置のときは、上方を向いたベッド本体５の凹溝１３内において垂下状態で収容されるようになっている。
【００２４】
各連結杆７は、ベッド本体５と平行をなすようにして、また、前後の端部が可動脚６および固定脚４の内側に重合するようにして、後端部が固定脚４の上下方向の中間部に、左右方向を向く軸２０をもって、また前端部が可動脚６の上下方向の中間部に、左右方向を向く軸２１をもってそれぞれ連結され、ベッド本体５が使用位置のときは、図３および図６に示すように、床面３とほぼ平行をなし、ベッド本体５が折り畳み位置のときは、図５および図８に示すように、上部(使用位置のときの前部)が、上方を向いたベッド本体５の凹溝１３内に収容され、かつ下部(使用位置のときの後部)が、固定脚４の内側面と重合するようになっている。
【００２５】
ベッド本体５と固定脚４と可動脚６と連結杆７とは、軸１８〜２１をもって互いに連結されることにより、平行リンク機構をなしている。
【００２６】
付勢手段８は、この例では、固定脚４の下部内に、基端部が左右方向を向く軸２２をもって枢着されたシリンダ２３と、このシリンダ２３の遊端から進退自在に進出し、先端部が連結杆７の前後方向の中間部に、左右方向を向く軸２４をもって連結され、シリンダ２３内に封入されたガス圧および／またはコイルばね(いずれも図示略)の付勢力により、シリンダ２３から進出する方向に向けて常時付勢されたピストンロッド２５とを備える伸縮式のガススプリング(またはダンパ)２６としてある。
【００２７】
この付勢手段８は、図８に示すように、ベッド本体５が折り畳み位置に位置したとき、固定脚４の凹溝９内に収容されるようにしてある。
【００２８】
軸２４は、連結杆７における固定脚４側の側面、すなわち図２における右方の連結杆７における右側面に突設され、その遊端部である右端部に、ガススプリング２６におけるピストンロッド２５の先端部が連結されている。
【００２９】
図２および図６〜図８に示すように、固定脚４における連結杆７と付勢手段８との間に挟まれた部分の前縁上部には、ベッド本体５が折り畳み位置のとき、軸２４の中間部が進入するようにした円弧状の凹部２７が設けられている。
【００３０】
この凹部２７を設けたことにより、ベッド本体５が折り畳み位置に位置しているとき、連結杆７が固定脚４の側面に重なり、折り畳み時の簡易ベッド１全体の前後幅を小とすることができるとともに、付勢手段８の上端部と連結杆７とを連結する軸２４が、固定脚４の前縁と干渉するのを防止することができる。
【００３１】
付勢手段８により、ベッド本体５は、可動脚６および連結杆７を介して、折り畳み位置に向かって常時付勢されている。その付勢力は、ベッド本体５を使用位置から折り畳み位置に向かって回動させるほどのものではなく、その方向への回動をアシストする程度のものに設定しておくのが望ましい。
【００３２】
図９は、ベッド本体５を折り畳み位置とした状態で、ベッド本体５が使用位置へ復帰するのを阻止するロック手段２８の一例を示す。
このロック手段２８は、ベッド本体５を折り畳み位置としたとき互いに重合する固定脚４と連結杆７との重合部に設けたピン孔２９、３０に着脱自在に嵌合したロックピン３１としてある。
【００３３】
このロックピン３１を両ピン孔２９、３０から抜き出すことにより、ベッド本体５を折り畳み位置から使用位置へ向けて回動させることができる。
このロックピン３１は、紛失を防止するため、その円環状に丸めた頭部３１ａに紐やチェーン等の索条３２の一端を止着し、かつその索条３２の他端を、固定脚４の一部に止着しておくのがよい。
【００３４】
なお、ロック手段２８は、このような構造のものに限るものではなく、例えば、固定脚４の凹溝９内に収容されたガススプリング２６の前方において、固定脚４の前部にロックピン(図示略)を左右方向に貫通するように嵌合し、ガススプリング２６の前方への回動を阻止することによって、ベッド本体５が使用位置へ復帰するのを阻止するようにしたものや、その他の構造のものとするとことができる。
【００３５】
この簡易ベッド１は、以上のような構成としてあるので、ベッド本体５を使用位置とすることにより、その上に患者を寝かせて診察することができ、患者を寝かせる必要がないときは、凹部１６、１６に手を掛けて、ベッド本体５を使用位置から折り畳み位置まで回動させる。
このとき、ガススプリング２６とした付勢手段８の付勢力が、ベッド本体５を使用位置から折り畳み位置までの回動を補助するので、ベッド本体５を軽力で折り畳み位置まで回動させることができる。
【００３６】
ベッド本体５が折り畳み位置に位置しているときは、壁面２に沿って起立しており、室内空間をあまり占有することはなく、室内を広くして使用することができ、診察台として使用したいときだけ、ベッド本体５を使用位置まで回動させればよい。
【００３７】
また、ベッド本体５が折り畳み位置に位置しているときは、可動脚６と連結杆７の一部はベッド本体５の下面に設けられた凹溝１３内に収容され、また付勢手段８は固定脚４の凹溝９内に収容され、それらが外部に露呈することは少ないので、体裁がよく、しかも可動脚６や付勢手段８等が歩行者等に接触するおそれが少なくなるので、安全性が高い。
【００３８】
ベッド本体５を、折り畳み位置から使用位置に戻すときは、付勢手段８の付勢力が抵抗となり、ベッド本体５が急激に使用位置に回動するのを防止することができる。すなわち、付勢手段８がダンパーとして作用し、可動脚６が接床する際の衝撃を緩和することができる。
【００３９】
この簡易ベッド１は、ベッド本体５と、固定脚４と、可動脚６と、連結杆７と、付勢手段８との僅かな部品で構成され、構造が簡単で、安価に製造することができる。
【００４０】
本発明は、上記実施形態のみに限定されるものではなく、特許請求の範囲を逸脱することなく、例えば、次のような幾多の変形した態様での実施が可能である。
(１)  簡易ベッド１を、病院の通路の壁面に取り付けて、災害時等における緊急時用のベッドとして使用したり、病室の壁面に取り付けて、付添人用の補助ベッドとして使用したり、その他にも、一般の住宅や事務室等の壁面に取り付けて、補助ベッドとして使用する。
(２)  取付手段１２を壁面２から外して、簡易ベッド１を使用状態とし、固定脚４と可動脚６とを接床させて、自立型の簡易ベッドとして使用する。
(３)  ガススプリング２６を、シリンダ２３内に封入されたガス圧および／またはコイルばね(いずれも図示略)の付勢力により、シリンダ２３内に引き込まれる方向に向けて常時付勢されたものとし、そのシリンダ２３の基端部を、軸２０より上方の固定脚４の一部に、左右方向を向く軸をもって連結し、連結杆７を、ガススプリング２６をもって上方に引き上げるように付勢させる。
(４)  ガススプリング２６に代えて、圧縮コイルばねとする。この場合には、圧縮コイルばねが座屈するのを防止するため、圧縮コイルばねの内側または外側に伸縮式の筒体を設けるのが好ましい。
(５)  ガススプリング２６に代えて、引張コイルばねとする。この場合には、引張コイルばねの一端を、連結杆７における前後方向の中間部に止着し、かつ他端を、固定脚４における軸２０より上方の部分に止着する。
【符号の説明】
【００４１】
１  簡易ベッド
２  壁面
３  床面
４  固定脚
５  ベッド本体
６  可動脚
７  連結杆
８  付勢手段
９  凹溝
１０  取付金具
１１  固着手段
１２  取付手段
１３  凹溝
１４  基板
１５  クッション体
１６  凹部
１７  ブラケット
１７ａ基片
１７ｂ、１７ｃ垂下片
１８〜２２  軸
２３  シリンダ
２４  軸
２５  ピストンロッド
２６  ガススプリング
２７  凹部
２８  ロック手段
２９、３０  ピン孔
３１  ロックピン
３１ａ頭部
３２  索条  
【図１】
2013022131.tif 000003
【図２】
2013022131.tif 000004
【図３】
2013022131.tif 000005
【図４】
2013022131.tif 000006
【図５】
2013022131.tif 000007
【図６】
2013022131.tif 000008
【図７】
2013022131.tif 000009
【図８】
2013022131.tif 000010
【図９】
2013022131.tif 000011